(57)【要約】【課題】  基礎際の防蟻構造を施工する際の手間を軽減する。【解決手段】  本発明は、建築物の基礎１１とその内側に配設される土間コンクリート１４との間に流動性を有する防蟻剤３０を配設するための基礎際の防蟻方法である。この防蟻方法は、防蟻剤３０が封入され、かつ、流動状態のコンクリートに含まれる水分に対する溶解性を有する袋体４０を、基礎１１の内側面１２に沿って配置する工程と、この袋体４０を挟んで基礎１１と反対側の土間領域に、流動状態のコンクリートを注入する工程と、前記流動状態のコンクリートを硬化させて土間コンクリート１４を形成する工程と、袋体４０を流動状態のコンクリートに含まれる水分によって溶かすことにより、防蟻剤３０が基礎１１の内側面１２及び土間コンクリート１４に直接接触した状態で、防蟻剤３０を基礎１１の内側面１２と土間コンクリート１４との間に配設する工程とを有する。【選択図】      図３
2005226335.tif 000002
【特許請求の範囲】
【請求項１】
建築物の基礎とその内側に配設される土間コンクリートとの間に流動性を有する防蟻剤を配設するための基礎際の防蟻方法であって、
前記防蟻剤を封入した液体溶解性の袋体を前記基礎の内側面に沿って配置する工程と、
この袋体を挟んで前記基礎と反対側の土間領域に、流動状態のコンクリートを注入する工程と、
前記流動状態のコンクリートを硬化させて前記土間コンクリートを形成する工程と、
前記袋体に液体を接触させて前記袋体を溶かすことにより、前記防蟻剤が前記基礎の内側面及び前記土間コンクリートに直接接触した状態で、前記防蟻剤を前記基礎の内側面と前記土間コンクリートとの間に配設する工程と
を有することを特徴とする基礎際の防蟻方法。
【請求項２】
請求項１記載の基礎際の防蟻方法において、
前記袋体の溶解は、前記流動状態のコンクリートに含まれる水分が前記袋体に接触することにより行われること
を特徴とする基礎際の防蟻方法。
【請求項３】
請求項１又は２記載の基礎際の防蟻方法において、
前記袋体に封入されている防蟻剤は、粒状のものであること
を特徴とする基礎際の防蟻方法。
【請求項４】
請求項１〜３のいずれか１項に記載の基礎際の防蟻方法において、
前記袋体を前記基礎の内側面に配置する前に、前記基礎の内側面に沿って、当該内側面側が低くなるように傾斜した底面を持つ溝を地盤に形成する工程を行い、その溝に沿って前記袋体を配置し、前記袋体を溶かすことにより、前記溝の内部に前記防蟻剤を配置すること
を特徴とする基礎際の防蟻方法。
【請求項５】
請求項１〜４のいずれか１項に記載の基礎際の防蟻方法に使用する前記防蟻剤が封入された袋体であって、
前記袋体を形成する材質が、前記流動状態のコンクリートに含まれる水分よって溶解する性質を有する
ことを特徴とする防蟻剤が封入された袋体。
【請求項６】
請求項５記載の防蟻剤が封入された袋体において、
前記袋体を形成する材質が、難水溶性の性質を有する
ことを特徴とする防蟻剤が封入された袋体。
【請求項７】
請求項５又は６記載の防蟻剤が封入された袋体において、
前記袋体を形成する材質が、ＰＨ１２〜ＰＨ１４の範囲内の水溶液で溶解する性質を有する
ことを特徴とする防蟻剤が封入された袋体。
【請求項８】
請求項５〜７のいずれか１項に記載の防蟻剤が封入された袋体において、
互いに独立した複数の防蟻剤収容部が形成され、各防蟻剤収容部に分割して前記防蟻剤が封入されている
ことを特徴とする防蟻剤が封入された袋体。
【請求項９】
請求項８記載の防蟻剤が封入された袋体において、
前記各防蟻剤収容部は、一方向に延びる形状を有し、その長手方向と直交する方向に並んでいる
ことを特徴とする防蟻剤が封入された袋体。
【発明の詳細な説明】
【技術分野】
【０００１】
本発明は、建築物の基礎の内際を防蟻処理する為の防蟻方法、及び、この防蟻方法を施工するために使用する袋体に関するものである。
【背景技術】
【０００２】
一般に、住宅等の床下部分に防蟻処理を施す方法として、防蟻剤の散布や防蟻シートの敷設が良く行われている。しかし、布基礎や独立基礎とは別にこれと隣接して土間コンクリートを打設する場合には、当該コンクリートの硬化時や硬化後に、基礎と土間コンクリートとの接合部分にそのコンクリート収縮などに起因してクラック（びび割れ）が発生するおそれがあり、このようなクラックからの白蟻の侵入を前記防蟻剤の散布や防蟻シートの敷設のみで防ぐことは非常に難しい。特に、白蟻は、土壌から基礎の内側面を伝って地上に到達する場合が多く、基礎際の防蟻処理は非常に重要となる。
【０００３】
そこで、このような基礎際に集中的に防蟻処理を施す方法として、例えば下記の特許文献１には、布基礎と土間コンクリートとの接合部分に沿って当該土間コンクリートの端部上面に溝を形成し、この溝内に防蟻剤を注入して当該溝内を伝わせるようにした方法が開示されている。
【特許文献１】特公平７−８６２５１号公報（第２頁、第１図）
【発明の開示】
【発明が解決しようとする課題】
【０００４】
しかしながら、前記特許文献１に記載された方法は、土間コンクリートの上面に溝を形成するものであるため、当該溝の底部にはやはりクラックが生じるおそれがある。このクラックについて、前記特許文献１では、前記溝内に注入された防蟻剤がクラック内に侵入して防蟻効果を発揮する旨の記載がされているが、土間コンクリートに発生するクラックの幅には相当のバラツキがあるため、当該クラックの幅が非常に狭い場合にはその中へ防蟻剤を確実に入れることは事実上困難である。
【０００５】
この課題を解決する方法としては、前記基礎の内側面に沿って型枠を配し、当該型枠の内側に流動状態のコンクリートを注入して硬化させることにより前記土間コンクリートを形成し、この型枠を取り外すことにより前記基礎の内側面と前記土間コンクリートとの間に間隙を形成し、この間隙内に防蟻剤を入れることが想定される。この方法を採ることによって、当該防蟻剤を前記基礎の内側面と前記土間コンクリートとの間に好適な寸法を持つ隙間を意図的に形成することができ、当該防蟻剤を前記基礎の内側面と前記土間コンクリートとの間に確実に介在させることができる。
【０００６】
しかしながら、前述の方法を採ると、前記防蟻剤を前記基礎の内側面と前記土間コンクリートとの間に確実に介在させるためには、まず、前記基礎の内側面に沿って前記土間コンクリートを形成するための型枠を配し、その後この型枠を取り除き、さらに、この型枠を除去することによって形成された間隙に前記防蟻剤を入れる必要がある。したがって、施工する際の手間を軽減することが求められていた。
【０００７】
そこで、本発明は、基礎際の防蟻構造を施工する際の手間を軽減するための防蟻方法を提供することを目的とする。
【課題を解決するための手段】
【０００８】
請求項１記載の発明は、建築物の基礎とその内側に配設される土間コンクリートとの間に流動性を有する防蟻剤を配設するための基礎際の防蟻方法であって、前記防蟻剤を封入した液体溶解性の袋体を前記基礎の内側面に沿って配置する工程と、この袋体を挟んで前記基礎と反対側の土間領域に、流動状態のコンクリートを注入する工程と、前記流動状態のコンクリートを硬化させて前記土間コンクリートを形成する工程と、前記袋体に液体を接触させて前記袋体を溶かすことにより、前記防蟻剤が前記基礎の内側面及び前記土間コンクリートに直接接触した状態で、前記防蟻剤を前記基礎の内側面と前記土間コンクリートとの間に配設する工程とを有することを特徴とする。
【０００９】
請求項２記載の発明は、請求項１記載の基礎際の防蟻方法において、前記袋体の溶解は、前記流動状態のコンクリートに含まれる水分が前記袋体に接触することにより行われることを特徴とする。
【００１０】
請求項３記載の発明は、請求項１又は２記載の基礎際の防蟻方法において、前記袋体に封入されている防蟻剤は、粒状のものであることを特徴とする。
【００１１】
請求項４記載の発明は、請求項１〜３のいずれか１項に記載の基礎際の防蟻方法において、前記袋体を前記基礎の内側面に配置する前に、前記基礎の内側面に沿って、当該内側面側が低くなるように傾斜した底面を持つ溝を地盤に形成する工程を行い、その溝に沿って前記袋体を配置し、前記袋体を溶かすことにより、前記溝の内部に前記防蟻剤を配置することを特徴とする。
【００１２】
請求項５記載の発明は、請求項１〜４のいずれか１項に記載の基礎際の防蟻方法に使用する前記防蟻剤が封入された袋体であって、前記袋体を形成する材質が、前記流動状態のコンクリートに含まれる水分によって溶解する性質を有することを特徴とする。
【００１３】
請求項６記載の発明は、請求項５記載の防蟻剤が封入された袋体において、前記袋体を形成する材質が、難水溶性の性質を有することを特徴とする。
【００１４】
請求項７記載の発明は、請求項５又は６記載の防蟻剤が封入された袋体において、前記袋体を形成する材質が、ＰＨ１２〜ＰＨ１４の範囲内の水溶液で溶解する性質を有することを特徴とする。
【００１５】
請求項８記載の発明は、請求項５〜７のいずれか１項に記載の防蟻剤が封入された袋体において、互いに独立した複数の防蟻剤収容部が形成され、各防蟻剤収容部に分割して前記防蟻剤が封入されていることを特徴とする。
【００１６】
請求項９記載の発明は、請求項８記載の防蟻剤が封入された袋体において、前記各防蟻剤収容部は、一方向に延びる形状を有し、その長手方向と直交する方向に並んでいることを特徴とする。
【発明の効果】
【００１７】
請求項１記載の発明の方法を採ると、前記流動性を有する防蟻剤を封入した袋体を前記基礎の内側面に沿って配置した後に、その袋体の内側に流動状態のコンクリートを注入するため、前記袋体が前記型枠の役割を果たすことが可能となる。さらに、前記袋体は液体溶解性であり、この袋体に液体を接触させて前記袋体を溶かすことのみで、前記防蟻剤が前記基礎の内側面と前記土間コンクリートとに直接接触した状態で、前記防蟻剤を前記基礎の内側面と前記土間コンクリートとの間に配設することが可能となる。したがって、従来と異なり、型枠を取り除く工程や、この型枠を除去することによって形成された間隙に前記防蟻剤を入れるといった工程は不要となり、このようにして、施工する際の手間を軽減しつつも、前記防蟻剤を前記基礎の内側面と前記土間コンクリートとの間に確実に介在させることが可能となる。
【００１８】
請求項２記載の発明の方法を採ると、前記袋体の溶解は、前記流動状態のコンクリートに含まれる水分によって行われるため、わざわざ前記袋体を溶かすための工程を行う必要がなく、施工する際の手間をさらに軽減することが可能となる。
【００１９】
なお、前記防蟻剤は、流動性を有するものであれば特に限定されるものではなく、例えば、前記袋体の内部に存在する際には液状であり、前記袋体が溶解して前記防蟻剤が前記基礎の内側面及び前記土間コンクリートに接触した後に硬化するものであってもよいが、請求項３記載の発明のように粒状のものであれば、前記土間コンクリートが経時変化によって収縮し、当該土間コンクリートと前記基礎の内側面との隙間が広がったとしても、この形状変化に前記防蟻剤が追従するため、施工後においても良好な防蟻剤充填状態を継続させることが可能となる。
【００２０】
請求項４記載の発明の方法を採れば、前記袋体を前記基礎の内側面に配置する前に、前記基礎の内側面に沿って、当該内側面側が低くなるように傾斜した底面を持つ溝を地盤に形成するため、前記袋体を前記基礎の内側面に配置して前記袋体を溶かしたとき、前記防蟻剤は、前記底面を伝わって前記基礎の内側面に対して確実に接触することが可能となる。したがって、より確実な防蟻効果を得ることが可能となる。
【００２１】
請求項５記載の発明の構成を採れば、前記袋体を形成する材質は、前記流動状態のコンクリートに含まれる水分によって溶解する性質を有するため、前記袋体の溶解は、前記流動状態のコンクリートに含まれる水分によって行うことが可能となり、わざわざ前記袋体を溶解させるための特別な工程を行う必要がなく、施工する際の手間を軽減することが可能となる。
【００２２】
請求項６記載の発明の構成を採れば、前記袋体を形成する材質が、難水溶性の性質を有するため、湿気等によって、前記袋体が、前記基礎の内側面に配置する前に溶けることをより確実に阻止することが可能となる。特に、請求項７記載の発明の構成のように、前記袋体が、ＰＨ１２〜ＰＨ１４の範囲内の水溶液、すなわち強アルカリ性の水溶液で溶解する性質を有するものであれば、通常環境下で前記袋体がほぼ中性の水分により溶けることを略確実に阻止するととともに、前記コンクリートに含まれる水分が接触した際には確実に溶かすことが可能となる点で、より好適である。
【００２３】
請求項８記載の発明の構成を採ると、前記防蟻剤収容部によって、前記防蟻剤が分割された状態で前記袋体内に収容されているため、前記防蟻剤が前記袋体内で広範囲に亘って移動することを阻止し、この移動により前記袋体の形状が大きく変形することを阻止することが出来る。したがって、前記袋体の保形性を向上させることが出来、前記間隙をより好適な形状に形成することが可能となる。よって、前記防蟻剤の配置状況をより好適な状態にすることが可能となる。
【００２４】
特に、前記袋体が上下方向に延びる状態で前記袋体を配置する際は、前記防蟻剤は必然的に下方に移動する傾向が高いため、前記袋体が変形する可能性が大きいが、請求項９記載の発明の構成を採ると、前記各防蟻剤収容部は、当該防蟻剤収容部が延びる方向（長手方向）と直交する方向に並んでいるため、その長手方向が基礎の内側面に沿い、かつ、前記各防蟻剤収容部が上下方向に並ぶ状態で前記袋体を配置することにより、上下方向に延びる状態で前記袋体を配置した場合においても、前記防蟻剤が上下方向に流動することを可及的に防止することが出来、前記袋体の形状を維持させることが可能となる。
【発明を実施するための最良の形態】
【００２５】
本発明の実施の形態につき、図１〜図５を用いて説明する。
【００２６】
第一実施形態（図１〜図３参照）
まず、図１を用いて、本実施形態にかかる基礎際の防蟻方法により施工される防蟻構造について説明する。
【００２７】
地盤１０上には基礎１１が立設されている。この基礎１１は、図例では図の奥行き方向に延びる布基礎であって、その土間側の側面が内側面１２となっている。
【００２８】
前記基礎１１の内側面１２の際の地盤１０には、当該内側面１２に沿って延びる溝１３が掘削されている。この溝１３の底面は、基礎１１の内側面１２に向かうに従って低くなる向きに傾斜している。そして、この溝１３の底面も含めて前記基礎１１よりも内側の領域（土間領域）における地盤１０上に土間コンクリート１４が一定の厚みで打設されている。
【００２９】
基礎１０及び土間コンクリート１４を構成するコンクリートには、通常、セメントに、砂、砂利などの骨材及び水を適当な割合で混ぜたものが使用される。
【００３０】
前記土間コンクリート１４と基礎１１の内側面１２との間には、意図的に一定幅（図例では溝１３の上端幅よりも大きな幅）の間隙２０が確保されており、この間隙２０と前記溝１３とにわたって連続する領域に防蟻剤３０が入れられている。
【００３１】
ここで、前記防蟻剤３０としては、流動性を有するものが好適であり、従来から一般に用いられている液状の防蟻剤であって充填後に半硬化するものであってもよいが、粒状のものであって半永続的に流動性を保持するものであればなお好ましい。このような粒状の防蟻剤を用いれば、施工完了後に土間コンクリート１４が収縮して前記間隙２０が広がってもこれに前記防蟻剤３０が追従するため、理想的な防蟻剤配設状態が維持されることになる。
【００３２】
このような粒状の防蟻剤３０としては、例えば、防蟻薬剤を溶媒に混入した被覆剤を直径０．３ｍｍ〜１０ｍｍ、好ましくは直径０．５ｍｍ〜５ｍｍの粒子の表面に塗布したものや、当該粒子に上記防蟻薬剤を練り込んだものが使用されている。
【００３３】
前記粒子の素材としては、無機質粒子（砂、軽石、ゼオライト、ガラス、スラグ陶磁器の粉砕物、シリカゲル、シラス、ひる石、珪砂、クレータルク、炭酸カルシウム、ベントナイト、珪藻土、硫酸マグネシウム）、活性炭、合成樹脂（ポリエチレン、ポリプロピレン、ＥＶＡ（エチレン−酢酸ビニルアルコール共重合体）、ＰＶＣ（ポリ塩化ビニル）、エポキシ樹脂、メラミン樹脂、ナイロン等）等が挙げられる。また、ホウ素系化合物、コレマナイト、尖角状のガラス片等のように、粒子自体に防蟻性能を有するものを用いてもよい。
【００３４】
前記溶媒としては、水、有機溶剤（エタノール、メタノール、イソプロピルアルコール、キシレン、トルエン、酢酸エチル、ノルマルヘキサン、ベンゼン、メチルエチルケトン）等が挙げられる。
【００３５】
前記防蟻薬材としては、ピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメント系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等が挙げられる。
【００３６】
次に、図２を用いて、本実施形態の防蟻方法に使用される袋体４０について説明する。
【００３７】
袋体４０は、その内部が複数の仕切壁４１で仕切られることにより形成された複数の防蟻剤収容部４２と、袋体４０の内部を密閉するための蓋部４３とを備えている。
【００３８】
防蟻剤収容部４２は、各々一方向に延びた筒状に形成されている。また、防蟻剤収容部４２同士の位置関係は、防蟻剤収容部４２が延びる方向、すなわち長手方向に対し直交する方向に並ぶようになっている。そして、各々の防蟻剤収容部４２の内部に防蟻剤３０が充填され、蓋部４３によって前記袋体４０の内部が密閉されることにより、防蟻剤３０は、分割された状態で袋体４０の内部に封入されている。
【００３９】
袋体４０の素材は、流動状態のコンクリートに含まれる水分等のような強アルカリ性水（ＰＨ１２〜ＰＨ１４）によって溶解するが、通常の中性水においては溶解しないものが使用されており、本実施形態においては、製紙用繊維と、水溶性高分子とで構成されたものを使用している。
【００４０】
製紙用繊維としては、水に対して分散するものであればよく、木材パルプ繊維、非木材系パルプ繊維、レーヨン繊維等が挙げられる。例えば、製紙用のクラフトパルプ又はサルファイトパルプ、化繊用の溶解パルプなどが好適に使用されるが、ワラパルプ、麻パルプ等の植物繊維、ポリアミド、ポリエステルなどの合成繊維、ガラス繊維、石綿、ロックウール、スラグウール、シリカウール、シリカアルミナウールなどの無機繊維も使用できる。
【００４１】
水溶性高分子としては、ホリビニルアルコール（ＰＶＡ）、ポリアクリル酸ナトリウム、ポリエチレンオキシド等の合成品、カブボキシルメチルセルロース（ＣＭＣ）、ヒドロキシエチルセルロース、エチルセルロース、メチルセルロース、ビスコース等のセルロース系、カルボキシメチルデンプン、ジアルデヒドデンプン等のデンプン系、にかわ等に代表されるたんぱく質等の天然高分子を使用することが出来る。
【００４２】
より具体的な袋体４０の構成としては、素材としては、針葉樹晒クラフトパルプを４０から９０重量％、ＰＶＡを１０〜５０重量％、ＣＭＣを２〜１５重量％にした構成のものを使用し、袋体４０の厚みを１０〜１５０μｍ、好ましくは３０〜８０μｍにすることが考えられる。かかる構成によれば、ＰＨ１２の流動状態のコンクリートに含まれる水分に接触させた場合、３０秒〜３００秒で袋体４０が溶解される。
【００４３】
水溶液のＰＨに対する袋体４０の溶解度は、前記構成の割合を変更することにより、適宜設定が可能である。一般的に、針葉樹晒クラフトパルプは、中性水に対して溶解せず強アルカリ性水に溶解するものであり、かつ、強アルカリ性においても溶解速度が比較的遅い性質を有するのに対し、ＰＶＡ，及び、ＣＭＣは、水溶液のＰＨに関わらず溶解するものであり、かつ、その溶解速度は比較的速いものである。
【００４４】
すなわち、針葉樹晒クラフトパルプの比率を高くすれば、中性水に対しては溶解困難なものにするとともに、強アルカリ性水に対する溶解速度を遅くすることが可能となり、ＰＶＡ及びＣＭＣの比率を高くすれば、強アルカリ性水でなくても溶解可能なものにするとともに、溶解速度を速めることが可能となる。
【００４５】
次に、この基礎際の防蟻構造を施工する方法（すなわち基礎際の防蟻方法）の一例を図３（ａ）〜（ｃ）を用いて説明する。
【００４６】
工程１：基礎１１が立設された地盤１０において、当該基礎１１の内側面１２の際に溝１３を掘削する（図３（ａ））。この溝１３は、前記のように基礎１１の内側面１２に向かうに従って深くなる向きに底面が傾斜したものが好ましいが、当該底面がフラットなものでも防蟻剤３０の充填は可能である。また、本発明方法ではこの溝１３の掘削を適宜省略してもよい。
【００４７】
工程２：基礎１１の内側面１２に密着させた状態、かつ、溝１３の上面を覆う状態で袋体４０を配置する（図３（ｂ））。
【００４８】
工程３：袋体４０を挟んで基礎１１と反対側の土間領域に、袋体４０よりも内側の領域に流動状態のコンクリートを注入し、その後時間をおいて硬化させることにより、当該領域に土間コンクリート１４を形成する。このとき、袋体４０が型枠の役目をすることで、基礎１１の内側面１２と土間コンクリート１４との間に間隙２０が形成される（図３（ｃ））。しかも、前記流動状態のコンクリートに含まれる水分によって、袋体４０が溶解するため、防蟻剤収容部４２の内部に封入されていた防蟻剤３０が、溝１３内に充填されるとともに、内側面１２及び土間コンクリート１４に対し直接的に接触する状態で間隙２０内に充填される（図１）。
【００４９】
以上の方法を採れば、前記袋体４０は、流動状態のコンクリートに含まれる水分によって溶解するものであり、この袋体４０に流動状態のコンクリートに含まれる水分を接触させて袋体４０を溶かすことのみで、前記防蟻剤３０が前記基礎１１の内側面１２と前記土間コンクリート１４に直接接触した状態で、防蟻剤３０を前記内側面１２と土間コンクリート１４との間に形成された間隙２０に配設することが可能となる。したがって、従来と異なり、間隙２０を確保するための型枠を取り除く工程や、この型枠を除去することによって形成された間隙に前記防蟻剤を入れるといった工程は不要となり、施工する際の手間を軽減しつつも、防蟻剤３０を基礎１１の内側面１２と土間コンクリート１４との間に確実に介在させることが可能となる。
【００５０】
また、袋体４０の溶解は、袋体４０の内側に注入された流動状態のコンクリートに含まれる水分によって行われるため、わざわざ袋体４０を溶かすための工程を行う必要がなく、施工する際の手間をさらに軽減することが可能となる。
【００５１】
さらに、袋体４０は、流動状態のコンクリートに含まれる水分等の強アルカリ性水（ＰＨ１２〜ＰＨ１４）によって溶解するが、通常の中性水においては溶解しないものであるため、通常環境下に存在する湿気等によって袋体４０が略中性の水分により溶けることを略確実に阻止するととともに、流動状態のコンクリートに含まれる水分が接触した際には確実に溶かすことが可能となる。すなわち、袋体４０が流動状態のコンクリートに含まれる水分に接触するまでの間に溶解することを阻止することが可能となる。
【００５２】
さらに、袋体４０を基礎１１の内側面１２に配置する前に、基礎１１の内側面１２に沿って、内側面１２側が低くなるように傾斜した底面を持つ溝を地盤１０に形成するため、袋体４０を溶かしたとき、防蟻剤３０は、前記底面を伝わって基礎１１の内側面１２に対して確実に接触することが可能となる。したがって、より確実に基礎１１の内側面１２を防蟻することができ、より効果的に防蟻効果を得ることが可能となる。
【００５３】
また、防蟻剤３０は、防蟻剤収容部４２によって分割された状態で袋体４０内に収容されているため、防蟻剤３０が袋体４０内で広範囲に亘って移動することを阻止し、この移動により袋体４０の形状が大きく変形することを阻止することが出来る。したがって、袋体４０の保形性を向上させることが出来、前記間隙２０をより好適な形状に形成することが可能となる。よって、防蟻剤３０の配置状況をより好適な状態にすることが可能となる。
【００５４】
さらに、各防蟻剤収容部４２は、この防蟻剤収容部４２が延びる方向（長手方向）と直交する方向に並んでいるため、その長手方向が基礎１１の内側面１２に沿い、かつ、前記各防蟻剤収容部４２が上下方向に並ぶ状態で袋体４０を配置することにより、上下方向に延びる状態で袋体４０を配置した場合においても、前記防蟻剤３０が上下方向に流動することを可及的に防止することが出来、袋体４０の形状を維持させることが可能となる。
【００５５】
以下において他の実施形態について説明する。なお、前記実施形態と同構成のものについては、同一符号を付すのみとし、その詳細な説明は省略する。
【００５６】
第二実施形態（図４参照）
本実施形態は、図４（ｃ）に示すとおり、基礎１１の内側に溝１３が形成されていない。
【００５７】
かかる構造を施工する方法は下記の通りである。
【００５８】
工程１：基礎１１の内側面１２に密着させた状態で、袋体４０を配置する（図４（ａ））。
【００５９】
工程２：袋体４０よりも内側の領域に流動状態のコンクリートを注入し、その後時間をおいて硬化させることにより、当該領域に土間コンクリート１４を形成する。このとき、袋体４０が型枠の役目をすることで、基礎１１の内側面１２と土間コンクリート１４との間に間隙２０が形成される（図２（ｂ））。しかも、前記流動状態のコンクリートに含まれる水分によって袋体４０が溶解するため、防蟻剤収容部４２の内部に封入されていた防蟻剤３０が、内側面１２及び土間コンクリート１４に対し直接的に接触する状態で間隙２０内に充填される（図３（ｃ））。
【００６０】
その他実施形態
（１）  本発明は、必ずしも袋体４０の内部に仕切壁４１を形成する必要はない。例えば、図５に示した構成のように、一方向（図５においては紙面の奥行き方向）に延びる両端が閉口した筒状の袋４５を、当該一方向と垂直をなす方向に並べた状態で接着し、各々の袋４５に防蟻剤３０を充填する構成を採ることにより、防蟻剤３０が分割された状態で袋体４０の内部に封入されているように構成してもよい。また、土間コンクリート１４の高さを低く形成する場合においては、袋４５を複数接着して袋体４０を構成する必要はなく、袋４５単体で袋体４０を構成してもよい。
【００６１】
（２）  本発明は、前記流動状態のコンクリートに含まれる水分のみに溶解するだけでなく、通常の中性水に対し溶解するものであってもよい。もっとも、湿気等のような外的環境によって溶解することを阻止するためには、中性水に対しては溶解しないものである方が好ましい。
【００６２】
（３）  袋体４０の素材は、前記流動状態のコンクリートに含まれる水分によって溶解するものである必要はなく、液体溶解性を有するものであればよい。かかる袋体４０を用いた場合においても、従来の方法のように、一度型枠を取り外して、この型枠によって形成された間隙に防蟻剤を入れるという工程を採る必要がなく、作業効率の向上を図ることが可能となる。もっとも、かかる構成を採った場合、土間コンクリート１４を注入した後に、袋体４０を溶解させるべく、別途袋体４０に対し液体をかける作業が必要となるため、作業効率を向上させる点においては、流動状態のコンクリートに含まれる水分に溶解するものである方が、より好ましい。
【実施例１】
【００６３】
袋体４０を、針葉樹晒クラフトパルプを７０重量％、ＰＶＡを２５重量％、ＣＭＣを５重量％の構成されたシートを使用して厚さ３０μｍ、直径２４ｍｍの円筒状に形成し、その内部に防蟻剤３０を充填した。
【００６４】
この袋体４０をＰＨ１２の流動状態のコンクリートに含まれる水分に接触させたところ、約２０秒で袋体４０が溶解した。
【００６５】
また、この袋体４０をＰＨ７の中性水に接触させたところ、２４時間経過しても溶解することはなかった。
【実施例２】
【００６６】
袋体４０を、実施例１と同じ材質のシートを使用して厚さ８０μｍ、直径２４ｍｍの円筒状に形成し、その内部に防蟻剤３０を充填した。
【００６７】
この袋体４０をＰＨ１２の流動状態のコンクリートに含まれる水分に接触させたところ、約９０秒で袋体４０が溶解した。
【００６８】
また、この袋体４０をＰＨ７の中性水に接触させたところ、２４時間経過しても溶解することはなかった。
【図面の簡単な説明】
【００６９】
【図１】本発明の第一実施形態にかかる基礎際の防蟻構造の概略を示した断面図である。
【図２】（ａ）及び（ｂ）は、本発明の第一実施形態の基礎際の防蟻方法に使用する袋体の概略を示した斜視図である。
【図３】（ａ）〜（ｃ）は、本発明の第一実施形態にかかる基礎際の防蟻方法を示した概略断面図である。
【図４】（ａ）〜（ｃ）は、本発明の第二実施形態にかかる基礎際の防蟻方法を示した概略断面図である。
【図５】本発明の第三実施形態にかかる基礎際の防蟻方法に使用する袋体を示した概略断面図である。
【符号の説明】
【００７０】
１０  地盤
１１  基礎
１２  内側面
１３  溝
１４  土間コンクリート
３０  防蟻剤
４０  袋体
４２  防蟻剤収容部
【図１】
2005226335.tif 000003
【図２】
2005226335.tif 000004
【図３】
2005226335.tif 000005
【図４】
2005226335.tif 000006
【図５】
2005226335.tif 000007